(57)【要約】【課題】  本発明は魚釣用リールに係り、バックラッシュ発生時の巻回層内部への食い込み釣糸による釣糸案内体の外周面への傷の発生を防止し、併せて釣糸の切断防止を図った魚釣用リールを提供することを目的とする。【解決手段】  請求項１に係る発明は、スプール前方の側板間に、ハンドル操作に連動してラインガイドを有する釣糸案内体を左右に往復動させてスプールに釣糸を均一に巻回させるレベルワインド機構を装着した魚釣用リールに於て、前記スプールとラインガイドの間の側板間に、前記釣糸案内体のスプールに対向する外周面へのバックラッシュ発生時の食い込みによる釣糸の接触を防止するガード部材を架設したことを特徴とする。そして、請求項２に係る発明は、請求項１に記載の魚釣用リールに於て、前記リール本体上部の側板間に形成されたサムレストの裏面側に、バックラッシュ発生時に於ける釣糸の膨出を抑制する膨出抑制部材を配設したことを特徴とする。【選択図】    図２
2009125013.tif 000002
【特許請求の範囲】
【請求項１】
スプール前方の側板間に、ハンドル操作に連動してラインガイドを有する釣糸案内体を左右に往復動させてスプールに釣糸を均一に巻回させるレベルワインド機構を装着した魚釣用リールに於て、
前記スプールとラインガイドの間の側板間に、前記釣糸案内体のスプールに対向する外周面へのバックラッシュ発生時の食い込みによる釣糸の接触を防止するガード部材を架設したことを特徴とする魚釣用リール。
【請求項２】
前記リール本体上部の側板間に形成されたサムレストの裏面側に、バックラッシュ発生時に於ける釣糸の膨出を抑制する膨出抑制部材を配設したことを特徴とする請求項１に記載の魚釣用リール。
【請求項３】
前記レベルワインド機構のトラバースカム軸のカム溝に係合する係合子を釣糸案内体に抜け止め保持するナットは、釣糸繰出し側に向けて配設されていることを特徴とする請求項１または請求項２に記載の魚釣用リール。
【発明の詳細な説明】
【技術分野】
【０００１】
本発明は魚釣用リールに係り、詳しくはスプールに釣糸を均一に巻回させるレベルワインド機構を備えた魚釣用リールに関する。
【背景技術】
【０００２】
従来周知のように、ベイトキャスティングリールやスプール駆動モータを備えた電動リール等には、スプールに釣糸を均一に巻回させるレベルワインド機構がスプール前方の側板間に装着されており、レベルワインド機構の釣糸案内体（摺動体）は、ハンドルやスプール駆動モータによる巻き取り操作に連動して、スプール前方の側板間を左右に往復動するように構成されている。
【０００３】
ところで、リール本体の側板に回転自在に支持されたスプールは、クラッチ機構によりクラッチＯＮ（動力伝達状態）とクラッチＯＦＦ（動力遮断状態）とに切換え可能に構成され、釣糸の繰出し時にクラッチＯＦＦに切り換えられて仕掛けを所定のポイントに放出するが、この釣糸の繰出し時に、船の振れや風の影響等で釣糸の繰出し速度よりもスプールの回転が一時的に早くなってスプールが過回転し、所謂バックラッシュ現象が発生することがある。
【０００４】
而して、斯様にバックラッシュ現象が発生すると、スプール外周に糸のループができ、これがレベルワインド機構の突出部である釣糸案内体のナットに絡んで、エサのバラシや釣糸の切断等のトラブルが発生してしまう虞があった。
【０００５】
前記ナットは、トラバースカム軸のカム溝に係合する係合子を釣糸案内体に抜け止め保持するもので、通常、釣糸案内体の下端に螺着されている。
【０００６】
そこで、図３及び図４に示すように特許文献１には、バックラッシュ発生時に釣糸案内体１のナット３への釣糸５の糸絡みを防止するため、一体に折曲形成した保護部材７を、左右の側板９間の釣糸案内体１の前部から下部に設けると共に、該保護部材７の下側をナット３の中心よりスプール１１側に延設した魚釣用リール１３が開示されている。
【特許文献１】実開平２−１１６９６３号公報
【発明の開示】
【発明が解決しようとする課題】
【０００７】
しかし、前記バックラッシュ現象による不具合は、前記ナット３への糸絡みに止まらず、スプール１１に巻回された釣糸５の巻回層１５の膨出によって釣糸５が巻回層１５内部に食い込んで繰出しが中断してしまい、この結果、釣糸案内体１のラインガイド（釣糸案内孔）１７を通して放出されている仕掛けの重量によって強い張力のかかった釣糸５が、スプール１１に対向する側の釣糸案内体１の外周面１９に瞬間的に強く接触して、該外周面１９に傷を付けてしまう欠点があった。
【０００８】
また、斯様に釣糸５が釣糸案内体１の外周面１９に瞬間的に強く接触することで釣糸５が切断されてしまう虞もあり、これらの対策が望まれていた。
【０００９】
本発明は斯かる実情に鑑み案出されたもので、バックラッシュ発生時の巻回層内部への食い込み釣糸による釣糸案内体の外周面への傷の発生を防止し、併せて釣糸の切断防止を図った魚釣用リールを提供することを目的とする。
【課題を解決するための手段】
【００１０】
斯かる目的を達成するため、請求項１に係る発明は、スプール前方の側板間に、ハンドル操作に連動してラインガイドを有する釣糸案内体を左右に往復動させてスプールに釣糸を均一に巻回させるレベルワインド機構を装着した魚釣用リールに於て、前記スプールとラインガイドの間の側板間に、前記釣糸案内体のスプールに対向する外周面へのバックラッシュ発生時の食い込みによる釣糸の接触を防止するガード部材を架設したことを特徴とする。
【００１１】
そして、請求項２に係る発明は、請求項１に記載の魚釣用リールに於て、前記リール本体上部の側板間に形成されたサムレストの裏面側に、バックラッシュ発生時に於ける釣糸の膨出を抑制する膨出抑制部材を配設したことを特徴とし、請求項３に係る発明は、請求項１または請求項２に記載の魚釣用リールに於て、前記レベルワインド機構のトラバースカム軸のカム溝に係合する係合子を釣糸案内体に抜け止め保持するナットは、釣糸繰出し側に向けて配設されていることを特徴とする。
【発明の効果】
【００１２】
請求項１に係る発明によれば、バックラッシュ現象の発生で釣糸が巻回層内部に食い込んで繰出しが中断し、仕掛けの重量によって強い張力のかかった釣糸がスプール側の釣糸案内体の外周面に接触しようとしても、ガード部材によって外周面が確実にガードされるため、釣糸案内体の外周面の傷の発生及び釣糸の切断を確実に防止することができる。
【００１３】
そして、請求項２に係る発明によれば、バックラッシュ発生時にリール本体上方への釣糸の膨出を確実に防止することができる。
【００１４】
また、請求項３に係る発明によれば、バックラッシュ現象が発生してスプールの外周に糸のループができても、釣糸が釣糸案内体のナットに絡むことがなく、更に、ナットを釣糸繰出し側に向けて配設した結果、魚釣用リールの全高の小型化が可能となって魚釣り操作性が良好となる利点を有する。
【発明を実施するための最良の形態】
【００１５】
以下、本発明の実施形態を図面に基づいて詳細に説明する。
【００１６】
図１及び図２は請求項１乃至請求項３に係る魚釣用リールの一実施形態を示し、図中、２１，２３はフレーム２５の左右の側枠２７，２９に取り付く外側板で、図２に示すように側枠２７，２９間の上部に平坦なプレート状のサムレスト３１が架設され、側枠２７，２９間の下部の前後にリール脚３３，３５が架設されており、側枠２７，２９とサムレスト３１とリール脚３３，３５とで前記フレーム２５が構成されている。そして、前記側枠２７，２９と前記外側板２１，２３とで側板３７，３９が構成され、前記フレーム２５と側板３７，３９によって魚釣用リール４１のリール本体４３が構成されており、図２に示すように前記リール脚３３，３５の裏面側に、竿取付部４５，４７がリール本体４３の前後方向へ分割して形成されている。
【００１７】
そして、前記側板３７，３９間に、側枠２７に装着した軸受４９によってスプール軸５１が回転可能に支持され、該スプール軸５１にスプール５３が一体的に取り付けられている。そして、側板３９側に突出したスプール軸５１に、図示しないピンからなるクラッチ部が設けられており、該クラッチ部に係脱可能なピニオンギヤ５５が、側枠２９と外側板２３に装着した軸受５７，５９によってスプール軸５１に回転可能且つその軸方向へ往復動可能に取り付けられている。
【００１８】
また、スプール５３後方の側板３７，３９間には、スプール５３をクラッチＯＮ（動力伝達状態）とクラッチＯＦＦ（動力遮断状態）とに切り換えるクラッチ機構６０のクラッチレバー６１が下方へ押圧操作可能に装着されており、該クラッチレバー６１を下方へ押圧操作すると、ピニオンギヤ５５の外周に設けた環状溝６３に係合するクラッチプレート６５が、クラッチ部に対するピニオンギヤ５５のクラッチ結合を解除してスプール５３をクラッチＯＦＦに切り換え、そして、後述するハンドル６７の巻取り操作で、スプール５３が周知の復帰機構（図示せず）によってクラッチＯＮに自動復帰するようになっている。
【００１９】
そして、図１及び図２に示すように前記側枠２９と外側板２３に設けた支持部６９との間に、ハンドル６７が取り付くハンドル軸７１が図示しない軸受を介して回転可能に支持されており、該ハンドル軸７１に、前記ピニオンギヤ５５に噛合するドライブギヤ７３がドラグ（図示せず）によって回転可能に摩擦結合されている。
【００２０】
このようにドライブギヤ７３とハンドル軸７１はドラグによって摩擦結合されており、ハンドル６７の巻き取り操作によって、その回転力がドラグを介してドライブギヤ７３，ピニオンギヤ５５からスプール軸５１へと伝達されてスプール５３が回転し、クラッチレバー６１によるクラッチＯＦＦの操作で、スプール軸５１へのハンドル６７の回転力が遮断されるようになっている。
【００２１】
そして、図１及び図２に示すように、スプール５３の巻回胴部５３ａに巻回された釣糸７５が繰り出される前方側の側板３７，３９（側枠２７，２９）間に、ハンドル６７の巻き取り操作に連動して左右に往復動する釣糸案内体７７を有するレベルワインド機構７９が設けられている。
【００２２】
図２中、８１はスプール５３前方の側板３７，３９間に装着されたレベルワインド機構７９のトラバースカム軸で、該トラバースカム軸８１は、前記スプール軸５１に沿って側枠２７，２９間に架設されており、その外周面にカム溝８３が設けられている。そして、トラバースカム軸８１と中心軸を同じくしてこれを覆う案内筒８５が側枠２７，２９間に架設されており、該案内筒８５に釣糸案内体７７がスプール５３の軸方向へ往復動可能に取り付けられている。
【００２３】
釣糸案内体７７は、前記案内筒８５にその長手方向に沿って形成した長孔８７を挿通して前記カム溝８３に係合する係合子８９を備えると共に、竿先側からの釣糸７５をスプール５３に案内する長孔形状のラインガイド９１が上下方向に設けられている。そして、図２に示すように、前記係合子８９を釣糸案内体７７に抜け止め保持するナット９３が釣糸繰出し側（魚釣用リール４１の前方側）に向けて配設されて、魚釣用リール４１の全高の小型化が図られている。
【００２４】
そして、従来と同様、ハンドル６７の巻取り操作に伴い、ドライブギヤ７３に噛合する連結ギヤ（図示せず）に結合されたトラバースカム軸８１が回転して釣糸案内体７７がスプール５３の軸方向へ往復動することにより、前記ラインガイド９１を介して釣糸７５がスプール５３の釣糸巻回胴部５３ａに均一に巻回され、また、キャスティング動作に伴い、釣糸巻回胴部５３ａに巻回された釣糸７５が、前記ラインガイド９１を介して均一に繰り出されるようになっている。
【００２５】
尚、図中、９５は前記釣糸案内体７７を挿通する断面円形状の案内ピラーで、該案内ピラー９５はスプール軸５１に沿って側枠２７，２９間に架設されている。
【００２６】
そして、図示するように本実施形態は、上述した構成に加え、前記サムレスト３１の後端の裏面側近傍に、バックラッシュ発生時に於ける釣糸７５のリール本体４３上方への膨出を抑制する断面円形状の膨出抑制ピラー（膨出抑制部材）９７を側枠２７，２９間に架設すると共に、バックラッシュ発生時に於ける釣糸案内体７７のスプール側外周面（スプール５３に対向する側の外周面）９９への釣糸７５の接触を防止するため、スプール５３とラインガイド９１の間の側枠２７，２９（側板３７，３９）間に断面円形状のガードピラー（ガード部材）１０１を架設したもので、図２に示すようにガードピラー１０１はラインガイド９１後方から下方（竿取付部４５側）へ偏位し、且つ該ガードピラー１０１のスプールフランジ１０３に対向する側の外周とスプールフランジ１０３の釣糸案内体７７に対向する側の外周との接線Ｐが、釣糸案内体７７のスプール側外周面９９から離間する位置に配設されている。
【００２７】
尚、前記膨出抑制ピラー９７とガードピラー１０１は、サムレスト３１や釣糸案内体７７より硬質の材料または表面処理が施されている。
【００２８】
本実施形態はこのように構成されているから、クラッチＯＮ状態でクラッチレバー６１を下方へ押圧操作すると、ピニオンギヤ５５の環状溝６３に係合するクラッチプレート６５が、クラッチ部に対するピニオンギヤ５５のクラッチ結合を解除してスプール５３をクラッチＯＦＦに切り換え、また、斯かるクラッチＯＦＦ状態でハンドル６７を巻取り方向へ回転させると、スプール５３が復帰機構によってクラッチＯＮに自動復帰する。
【００２９】
そして、スプール５３のクラッチＯＦＦ状態で仕掛けをキャスティングすると、スプール５３の釣糸巻回胴部５３ａに巻回された釣糸７５が前記ラインガイド９１を介してスプール５３から均一に繰り出され、釣糸７５の所定量の繰出し後、ハンドル６７の操作でクラッチＯＮに切り換えてハンドル６７を巻き取り操作すると、ハンドル６７の回転力がドラグを介してドライブギヤ７３，ピニオンギヤ５５からスプール軸５１に伝達されてスプール５３が回転する。そして、ハンドル６７の巻取り操作に伴い、トラバースカム軸８１が回転して釣糸案内体７７がスプール５３の軸方向へ往復動し、前記ラインガイド９１を介して釣糸７５が釣糸巻回胴部５３ａに均一に巻回されることとなる。
【００３０】
而して、既述したようにこの種の魚釣用リールは、釣糸の繰出し時に、船の振れや風の影響等で釣糸７５の繰出し速度よりもスプール５３の回転が一時的に早くなってスプール５３が過回転し、所謂バックラッシュ現象が発生することがある。
【００３１】
しかし、斯様にバックラッシュ現象が発生してスプール５３の外周に糸のループができても、図２の如く係合子８９を釣糸案内体７７に抜け止め保持するナット９３が釣糸繰出し側に向けて配設されているため、釣糸７５がナット９３に絡むことがない。
【００３２】
また、バックラッシュ現象が発生すると、従来、スプールに巻回された釣糸の巻回層の膨出によって釣糸が巻回層内部に食い込んで繰出しが中断し、ラインガイドを通して放出されている仕掛けの重量によって強い張力のかかった釣糸がスプール側の釣糸案内体の外周面に瞬間的に強く接触して傷を付けたり、釣糸が該外周面に瞬間的に強く接触することで切れてしまう虞があったが、本実施形態は、膨出抑制ピラー９７が釣糸７５の巻回層のリール本体４３上方への膨出を抑制し、また、釣糸７５が巻回層内部に食い込んで繰出しが中断されて強い張力のかかった釣糸７５がスプール５３側の釣糸案内体７７の外周面９９に接触しようとしても、前記ガードピラー１０１が該外周面９９への釣糸７５の接触を防止する。
【００３３】
このように本実施形態は、
(1)バックラッシュ現象が発生してスプール５３の外周に糸のループができても、釣糸７５が釣糸案内体７７のナット９３に絡むことがなく、
(2)膨出抑制ピラー９７によって釣糸７５の巻回層のリール本体４３上方への膨出を抑制することができ、
(3)バックラッシュ現象の発生で釣糸７５が巻回層内部に食い込んで繰出しが中断し、仕掛けの重量によって強い張力のかかった釣糸７５がスプール５３側の釣糸案内体７７の外周面９９に接触しようとしても、前記ガードピラー１０１によって外周面９９が確実にガードされるため、
本実施形態によれば、釣糸案内体７７の外周面９９の傷の発生及び釣糸７５の切断，リール本体４３上方への釣糸７５の膨出を確実に防止することができることとなった。
【００３４】
また、本実施形態は、係合子８９を釣糸案内体７７に抜け止め保持するナット９３を釣糸繰出し側に向けて配設しているので、魚釣用リール４１の全高の小型化が可能となって魚釣り操作性が良好となる利点を有する。
【００３５】
尚、前記実施形態では、ガードピラー１０１を断面円形状に形成したが、例えば釣糸案内体７７の外周面９９に沿った断面円弧状としてもよく、また、ガードピラー１０１の位置はラインガイド９１の後方でもよい。
【図面の簡単な説明】
【００３６】
【図１】請求項１乃至請求項３の一実施形態に係る魚釣用リールの一部切欠き平面図である。
【図２】図１に示す魚釣用リールの断面図である。
【図３】従来の魚釣用リールの断面図である。
【図４】保護部材の要部底面図である。
【符号の説明】
【００３７】
２１，２３  外側板
２５  フレーム
２７，２９  側枠
３１  サムレスト
３３，３５  リール脚
３７，３９  側板
４１  魚釣用リール
４３  リール本体
５１  スプール軸
５３  スプール
５５  ピニオンギヤ
６０  クラッチ機構
６１  クラッチレバー
６７  ハンドル
７１  ハンドル軸
７３  ドライブギヤ
７５  釣糸
７７  釣糸案内体
７９  レベルワインド機構
８１  トラバースカム軸
８３  カム溝
８５  案内筒
８７  長孔
８９  係合子
９１  ラインガイド
９３  ナット
９５  案内ピラー
９７  膨出抑制ピラー（膨出抑制部材）
９９  釣糸案内体のスプール側外周面
１０１  ガードピラー（ガード部材）
１０３  スプールフランジ
【図１】
2009125013.tif 000003
【図２】
2009125013.tif 000004
【図３】
2009125013.tif 000005
【図４】
2009125013.tif 000006